(57)【特許請求の範囲】
【請求項１】
遊技に球を要する遊技機本体と、
前記遊技機本体の前面を回動自在とする扉部材と、
前記扉部材と前記遊技機本体とを回動自在に連結するヒンジ部と、
前記ヒンジ部を支点に回動する前記扉部材の主要部及び側端部と、
前記遊技機本体側にあり前記扉部材開放時に前記扉部材の側端部と当接し前記扉部材主要部の開放角度を所定角度に規制する規制部材と、
前記規制部材と当接するまで前記扉部材の側端部が前記ヒンジ部を支点に回動自在とする隙間部と、
を有する遊技機の扉構造であって、
前記扉部材開放時に前記隙間部へ進入した前記球を前記隙間部より遊技者側に逃がす球逃げ部を設けた
ことを特徴とする遊技機の扉構造。
【請求項２】
前記側端部と当接する前記規制部材の当接部は前記隙間部の遊技機本体側底面より前記球１個分の高さよりも上方に設けられている
ことを特徴とする請求項１に記載の遊技機の扉構造。
【請求項３】
前記隙間部の遊技機本体側底面には、前記球を停留させずに所定方向に誘導する傾斜が形成されている
ことを特徴とする請求項１または２に記載の遊技機の扉構造。
【請求項４】
前記隙間部の遊技機本体側底面には、前記球を停留させずに所定方向に誘導する通路穴が穿設されている
ことを特徴とする請求項１〜３のいずれかに記載の遊技機の扉構造。
【請求項５】
前記隙間部の遊技機本体側壁面には、前記球を停留させずに所定方向に誘導する通路穴が設けられている
ことを特徴とする請求項１〜３のいずれかに記載の遊技機の扉構造。
【発明の詳細な説明】
【０００１】
【発明の属する技術分野】
この発明は、遊技機本体の前面を開閉自在とする扉部材を有する遊技機の扉構造に係り、特に扉開放時に扉部材の主要部及び側端部がヒンジ部を支点として回動可能にするために設けた隙間部に遊技球が進入し停留するのを防止する技術に関するものである。
【０００２】
【従来の技術】
従来の遊技機Ｉは、図１３の斜視図に示すように、縦長な方形状に枠組みにて構成され遊技機Ｉの設置場所に強固に固定される遊技機本体と扉部材とから構成される。そして、遊技機本体は、外枠３と、その外枠３に一側を保持され、且つその外枠３に対して開閉自在に設けられた表枠４と、を備えている。なお、表枠４にはパチンコ遊技機Ｉを構成する主要構成部品のほぼ全てが集約されて構成されているもので、実質的な遊技機本体といえる。
【０００３】
表枠４に設けられる主要構成部品としては、盤面が遊技領域とされる遊技盤６と、この遊技盤６に設けられた遊技領域に遊技に要する球（以下、パチンコ玉という）を打ち出す発射装置（遊技球処理部）と、パチンコ玉が入賞した際に遊技機Ｉから払い出される賞球や、現金あるいは遊技球貸し出し専用カード（パチンコ・プリペイドカード）から貸し出される貸球を必要に応じて所定個数排出するパチンコ玉払出ユニット（図示せず）と、遊技盤６の裏面側の方向に設けられた各種装置を制御することで遊技状態を制御する制御装置（図示せず）とが挙げられる。
【０００４】
尚、本発明における遊技に要する球（パチンコ玉）とは、前記遊技機による所定遊技を進行させるために現金と変換して使用する、直径１１mm程度の球状の玉、又は、直径２５〜３０mmで、且つ厚さ１．２mm程度のメダルとしての価値媒体などにより前記所定遊技を進行させる遊技機用価値媒体である。
【０００５】
一方、扉部材は、表枠４の前面を上側と下側とに２分割して開閉自在とし、表枠４の前面上側を開閉自在とする窓枠５と、表枠４の前面下側を開閉自在とする球受皿付き支持部材２とから構成される。そして、窓枠５は、表枠４の前面上側にある遊技盤６の遊技領域全体をその枠内にほぼ覗きみることができる透視部９を備えている。この透視部９には、その外周に沿って装飾ＬＥＤ・装飾ランプや、スピーカー１２，１２等が設けられている。この装飾ＬＥＤ・装飾ランプは、遊技の進行状況に応じて点滅する。また、スピーカー１２，１２は遊技の進行状況に応じて各種効果音を発する。
【０００６】
一方、表枠４の前面下部に開閉自在に設けられた球受皿付き支持部材２には、パチンコ玉を貯留する球受皿１９や、発射装置を操作するための操作ハンドル８が設けられている。この球受皿１９は、球受皿付き支持部材２と一体構成になっている。そして、球受皿１９は、パチンコ玉払出ユニットから球排出通路を介して払い出されるパチンコ玉を貯留する。また、球受皿付き支持部材２の開放時に、表枠４側に設置された球排出通路端部（開口口）や発射装置等を覗きみることができる。なお、図１３において球受皿１９は、遊技機Ｉに対して一皿のみ設けられているが、球受皿１９は一皿のみのものとは限られず、上下２段と分かれてなる２つの球受皿が備えられているものでも良い。
【０００７】
次に、球受皿付き支持部材２を開閉自在とするヒンジ部の構造を図１５〜図１７に基づき説明する。
球受皿付き支持部材２は、図１５に示すように、上下一対の上側ヒンジ部及び下側ヒンジ部により回動自在に軸支されている。そして、上側ヒンジ部は、球受皿付き支持部材２の側端部２ｂ上側に穿設された第１ヒンジ穴２４と、この第１ヒンジ穴２４に対応する表枠４上側に設けられた係合板（ブラケット）４１及び第１ヒンジピン４２と、から構成される。なお、第１ヒンジピン４２は、鍔部を有する段付き軸形状を有し、その小径軸部がブラケット４１に穿設された係合穴４１ａと球受皿付き支持部材２側の第１ヒンジ穴２４とに共に挿入されることで、球受皿付き支持部材２の上側を表枠４側に軸支する機能を果たす。また、下側ヒンジ部は、球受皿付き支持部材２の側端部下側に突出して設けられた軸部である第２ヒンジピン２５と、この第２ヒンジピン２５に対応する表枠４下方に設けられた第２ヒンジ穴４３と、から構成される。なお、第２ヒンジピン２５は、表枠４側のヒンジ穴４３に挿入されることで、球受皿付き支持部材２の下側を表枠４側に軸支する機能を果たす。
【０００８】
また、球受皿付き支持部材２は、上側ヒンジ部及び下側ヒンジ部を境に主要部２ａと側端部２ｂとに分けられる。そして、主要部２ａと側端部２ｂは上側ヒンジ部及び下側ヒンジ部を軸点として、相反する方向へ回動する。例えば、表枠４に対し球受皿付き支持部材２の主要部２ａを開放する場合、主要部２ａは表枠４から離れる方向に回動するが、側端部２ｂは表枠４内に入り込む方向に回動する。
【０００９】
このように、側端部２ｂが表枠４内に入り込む方向に回動するので、表枠４側には、球受皿付き支持部材２の側端部２ｂが回動可能な空間領域である隙間部４４が設けられている。
【００１０】
ところで、遊技機の下部に設置されている球受皿付き支持部材２の位置は、遊技者が座って遊技する位置に相当する。そのため、球受皿付き支持部材２が開放され、球受皿付き支持部材２の主要部２ａと表枠４前面との成す角度が９０°を超えると、球受皿付き支持部材２の主要部２ａが隣接する遊技機で遊技している遊技者に衝突する虞がある。そこで、開放時の球受皿付き支持部材２と隣りの遊技者との衝突を回避する目的で、球受皿付き支持部材２の側端部２ｂと当接させ球受皿付き支持部材２と表枠４前面との成す開放角度を所定角度（例えば、略９０°）に規制する規制部材４５を表枠４側に設けている（図１７参照）。すなわち、球受皿付き支持部材２の主要部２ａが表枠４前面に対して略９０°開くと、球受皿付き支持部材２の側端部２ｂが当接し同一方向の回動を規制する位置に規制部材４５が表枠４の下部より上側に突出したブロック状に形成されている。
【００１１】
【発明が解決しようとする課題】
ところで、球受皿付き支持部材２を表枠４に対して閉じた状態で表枠４の下部形状を見ると、図１６に示すように、突出した規制部材４５に隣接して隙間部４４が一段低く形成されており、ブロック状の規制部材４５、表枠４の壁面及び球受皿付き支持部材２の側端部２ｂに囲まれた空間が形成される。
【００１２】
そして、遊技中のパチンコ玉が球排出通路端部（開口口）から球受皿１９に移動する途中でこぼれ落ちたり、球受皿１９から球発射装置に移動する途中でこぼれ落ちると、かかる空間（隙間部４４）に入り込んで停留してしまうことがしばしば発生する。
【００１３】
パチンコ玉が隙間部４４に停留した状態にあると、球受皿付き支持部材２を開放しようとしても、停留したパチンコ玉が開放動作を阻害し開放できない。そして、無理に開放しようとすると、球受皿付き支持部材２の側端部２ｂが停留したパチンコ玉を表枠４（遊技機本体側）に押圧することで表枠４あるいは球受皿付き支持部材２を破損してしまう虞がある。従って、パチンコ玉が隙間部４４に停留した場合は、上側の扉部材である窓枠５を開放して球受皿付き支持部材２の上側ヒンジ部を分解し、球受皿付き支持部材２を取り外してから停留したパチンコ玉を取り除くといった面倒な作業をせざるを得なかった。
【００１４】
本発明は、前記問題点に鑑みなされたもので、前記扉部材の閉鎖時に遊技球が隙間部に進入しても、隙間部に停留させずに隙間部から遊技球を逃すことができる遊技機の扉構造を提供することを技術的課題とする。
【００１５】
【課題を解決するための手段】
本発明の遊技機の扉構造は、前述の技術的課題を解決するために以下のように構成されている。すなわち、本発明の遊技機の扉構造は、遊技に球を要する遊技機本体と、  前記遊技機本体の前面を回動自在とする扉部材と、  前記扉部材と前記遊技機本体とを回動自在に連結するヒンジ部と、  前記ヒンジ部を支点に回動する前記扉部材の主要部及び側端部と、前記遊技機本体側にあり前記扉部材開放時に前記扉部材の側端部と当接し前記扉部材主要部の開放角度を所定角度に規制する規制部材と、前記規制部材と当接するまで前記扉部材の側端部が前記ヒンジ部を支点に回動自在とする隙間部と、を有する遊技機の扉構造であって、前記扉部材開放時に前記隙間部へ進入した前記球を前記隙間部より遊技者側に逃がす球逃げ部を設けたことを特徴とする。なお、ヒンジ部とは、ヒンジピンなどを用いて、中心軸の周りに互いに揺動したり、回転できる構造をいう。このヒンジ構造の支点、連結点をそれぞれ回転支点、滑節という。
【００１６】
この構成により、前記扉部材の閉鎖時に球が隙間部に進入しても、進入した球が球逃げ部を経由して隙間部より逃すことができる。そして、球逃げ部は、隙間部に進入した球を逃すことで、遊技者に１個でも損をさせないよう作用する。また、球を停留させずに隙間部より逃すことができるので、球が隙間部内で扉部材の側端部の回動を阻害しないように作用する。従って、扉開放時に、扉部材の側端部が球を遊技機本体側に押圧することで扉部材又は遊技機本体側が破損するといったことは解消する。なお、球逃げ部は、規制部材を境に前方側に設けられても、後方側に設けられてもよい。また、所定角度は隣接する台の遊技者の存在を考慮して略９０°が好ましい。
【００１７】
本発明の遊技機の扉構造は、前述した必須の構成要素からなるが、その構成要素が具体的に以下のような場合であっても成立する。すなわち、本発明の遊技機の扉構造は、前記側端部と当接する前記規制部材の当接部は前記隙間部の遊技機本体側底面より前記球１個分の高さよりも上方に設けられている。
【００１８】
この構成により、前記扉部材の回動時又は閉鎖時に球が隙間部に進入しても規制部材の下方を経由して進入した球を逃すことができる。
【００１９】
また、本発明の遊技機の扉構造において、前記隙間部の遊技機本体側底面には、前記球を停留させずに所定方向に誘導する傾斜が形成されていることを特徴とする。
【００２０】
この構成により、前記扉部材の回動時又は閉鎖時に球が隙間部に進入しても隙間部底面に形成された傾斜を介して進入した球を逃すことができる。また、傾斜は隙間部に進入した球を発見し易い所定方向に誘導させ、遊技機内に球が隠れて紛失することはなくなり、遊技者に球１個でも損をさせないよう作用する。なお、傾斜は、規制部材を境に前方側に形成されても、後方側に形成されてもよい。
【００２１】
更に、本発明の遊技機の扉構造において、前記隙間部の遊技機本体側底面には、前記球を停留させずに所定方向に誘導する通路穴が穿設されていることを特徴とする。
【００２２】
この構成により、前記扉部材の回動時又は閉鎖時に球が隙間部に進入し停留しても隙間部底面に穿設された通路穴を介して球を逃すことができる。また、通路穴は隙間部に停留した球を発見し易い所定方向に誘導させ、遊技機内に球が隠れて紛失することはなくなり、遊技者に球１個でも損をさせないよう作用する。なお、通路穴は、規制部材を境に前方側に穿設されても、後方側に穿設されてもよい。
【００２３】
更にまた、本発明の遊技機の扉構造において、前記隙間部の遊技機本体側壁面には、前記球を停留させずに所定方向に誘導する通路穴が設けられていることを特徴とする。
【００２４】
この構成により、前記扉部材の回動時又は閉鎖時に球が隙間部に進入し停留しても隙間部壁面に穿設された通路穴を介して球を逃すことができる。また、通路穴は隙間部に停留した球を発見し易い所定方向に誘導させ、遊技機内に球が隠れて紛失することはなくなり、遊技者に球１個でも損をさせないよう作用する。なお、通路穴は、規制部材を境に前方側に穿設されても、後方側に穿設されてもよい。
【００２５】
【発明の実施の形態】
以下、この発明の遊技機の扉構造かかる一実施形態を、弾球遊技機（パチンコ遊技機）を例として図１〜図６を参照しながら説明する。なお、以下の一実施形態の全図においては、同一または対応する部分には同一の符号を付す。
【００２６】
［パチンコ遊技機の構造］
パチンコ遊技機Ｉは、図１の斜視図に示すように、縦長な方形状に枠組みにて構成され遊技機Ｉの設置場所に強固に固定される遊技機本体と扉部材とから構成される。そして、遊技機本体は、外枠３と、その外枠３に一側を保持され、且つその外枠３に対して開閉自在に設けられた表枠４と、を備えている。なお、表枠４にはパチンコ遊技機Ｉを構成する主要構成部品のほぼ全てが集約されて構成されているもので、実質的な遊技機本体といえる。
【００２７】
表枠４に設けられる主要構成部品としては、盤面が遊技領域とされる遊技盤６と、この遊技盤６に設けられた遊技領域に遊技に要する球（以下、パチンコ玉という）を打ち出す発射装置（遊技球処理部）と、パチンコ玉が入賞した際に遊技機Ｉから払い出される賞球や、現金あるいは遊技球貸し出し専用カード（パチンコ・プリペイドカード）から貸し出される貸球を必要に応じて所定個数排出するパチンコ玉払出ユニット（図示せず）と、遊技盤６の裏面側の方向に設けられた各種装置を制御することで遊技状態を制御する制御装置（図示せず）とが挙げられる。
【００２８】
尚、本発明における遊技に要する球（パチンコ玉）とは、前記遊技機による所定遊技を進行させるために現金と変換して使用する、直径１１mm程度の球状の玉、又は、直径２５〜３０mmで、且つ厚さ１．２mm程度のメダルとしての価値媒体などにより前記所定遊技を進行させる遊技機用価値媒体である。
【００２９】
遊技盤６は、表枠４の裏面側に一体的に形成される遊技盤６の収納枠に収納固定されるべく、ほぼ正方形状の合板により形成されている。その前面には、ほぼ円形状に植立され、発射装置７により打ち出されたパチンコ玉の行き先を誘導する誘導レール１３と、この誘導レール１３によって囲まれた領域に設けられた、釘（ゲージ）や風車などの障害物１４と、パチンコ玉が入ることで賞球を払い出させる条件成立の契機となる入賞口１５，１５が複数設けられている。
【００３０】
また、遊技盤６の中央には、種々の図柄および情報を遊技の進行に合わせて表示する画像表示装置１７が設けられている。画像表示装置１７の直下には、画像表示装置１７の表示内容を可変せしめるためのトリガーとなるパチンコ玉を受け入れる始動入賞口（始動口）１８が設けられている。これらの入賞口１５，１５あるいは始動入賞口１８にパチンコ玉が入ると、所定数のパチンコ玉が賞球として払い出される。
【００３１】
さらに、遊技盤６の最下部には、いずれの入賞口１５，１５，１８に入賞しなかったパチンコ玉が取り込まれるアウト口１６が設けられている。
【００３２】
一方、扉部材は、表枠４の前面を上側と下側とに２分割して開閉自在とし、表枠４の前面上側を開閉自在とする窓枠５と、表枠４の前面下側を開閉自在とする球受皿付き支持部材２とから構成される。そして、窓枠５は、表枠４の前面上側にある遊技盤６の遊技領域全体をその枠内にほぼ覗きみることができる透視部９を備えている。この透視部９には、その外周に沿って装飾ＬＥＤ１０・装飾ランプ１１，１１や、スピーカー１２，１２等が設けられている。この装飾ＬＥＤ１０・装飾ランプ１１，１１は、遊技の進行状況に応じて点滅する。また、スピーカー１２，１２は遊技の進行状況に応じて各種効果音を発する。
【００３３】
一方、表枠４の前面下部に開閉自在に設けられた球受皿付き支持部材２には、パチンコ玉を貯留する球受皿１９や、発射装置を操作するための操作ハンドル８が設けられている。この球受皿１９は、球受皿付き支持部材２と一体構成になっている。そして、球受皿１９は、パチンコ玉払出ユニットから球排出通路を介して払い出されるパチンコ玉を貯留する。また、球受皿付き支持部材２の開放時に、表枠４側に設置された球排出通路端部（開口口）や発射装置等を覗きみることができる。なお、図１において球受皿１９は、パチンコ遊技機Ｉに対して一皿のみ設けられているが、球受皿１９は一皿のみのものとは限られず、上下２段と分かれてなる２つの球受皿が備えられているものでも良い。
【００３４】
また、この球受皿１９は、パチンコ遊技機Ｉの前面から前方に突出されており、球受皿１９の右側部分の底面は、発射装置７へパチンコ玉を案内する穏やかな傾斜が設けられている。この傾斜の上流には、入賞時に払い出される賞球を払い出す賞球払出口２２が設けられている。さらに、斜面の途中には、貯留されたパチンコ玉を排出する抜き穴２３が設けられている。この抜き穴２３は通常閉じているが球抜き釦３１を押下することで開き、球受皿１９上のパチンコ玉は抜き穴２３を介して、パチンコ遊技機Ｉの外部に排出される。
【００３５】
次に、球受皿付き支持部材２を開閉自在とするヒンジ部の構造を図２及び図３に基づき説明する。
球受皿付き支持部材２は、図３に示すように、上下一対の上側ヒンジ部及び下側ヒンジ部により回動自在に軸支されている。そして、上側ヒンジ部は、球受皿付き支持部材２の側端部２ｂ上側に穿設された第１ヒンジ穴２４と、この第１ヒンジ穴２４に対応する表枠４上側に設けられた係合板（ブラケット）４１及び第１ヒンジピン４２と、から構成される。なお、第１ヒンジピン４２は、鍔部を有する段付き軸形状を有し、その小径軸部がブラケット４１に穿設された係合穴４１ａと球受皿付き支持部材２側の第１ヒンジ穴２４とに共に挿入されることで、球受皿付き支持部材２の上側を表枠４側に軸支する機能を果たす。また、下側ヒンジ部は、球受皿付き支持部材２の側端部下側に突出して設けられた軸部である第２ヒンジピン２５と、この第２ヒンジピン２５に対応する表枠４下方に設けられた第２ヒンジ穴４３と、から構成される。なお、第２ヒンジピン２５は、表枠４側のヒンジ穴４３に挿入されることで、球受皿付き支持部材２の下側を表枠４側に軸支する機能を果たす。
【００３６】
また、球受皿付き支持部材２は、上側ヒンジ部及び下側ヒンジ部を境に主要部２ａと側端部２ｂとに分けられる。そして、主要部２ａと側端部２ｂは上側ヒンジ部及び下側ヒンジ部を軸点として、相反する方向へ回動する。例えば、表枠４に対し球受皿付き支持部材２の主要部２ａを開放する場合、主要部２ａは表枠４から離れる方向に回動するが、側端部２ｂは表枠４内に入り込む方向に回動する。
【００３７】
このように、側端部２ｂが表枠４内に入り込む方向に回動するので、表枠４側には、球受皿付き支持部材２の側端部２ｂが回動可能な空間領域である隙間部４４が設けられている。
【００３８】
更に、開放時の球受皿付き支持部材２と隣りの遊技者との衝突を回避する目的で、球受皿付き支持部材２の側端部２ｂと当接させ球受皿付き支持部材２と表枠４前面との成す開放角度を所定角度（例えば、略９０°）に規制する規制部材４５ａが表枠４側に設けられている。すなわち、球受皿付き支持部材２の主要部２ａが表枠４前面に対して略９０°開くと、球受皿付き支持部材２の側端部２ｂが当接し同一方向の回動を規制する位置に規制部材４５ａが設けられている。
【００３９】
規制部材４５ａは、Ｌ字形状を有し、逆さにしたＬ字形状を表枠４底面に直立させると共に逆Ｌ字形状の奥行き側を表枠４側面に突き当てた形状を成している。そして、規制部材４５ａは、逆Ｌ字形状と表枠４底面とにより形成される空間部分が隙間部４４側を向くようにＬ字形状を表枠４底面に直立させている。なお、逆Ｌ字形状と表枠４底面とにより形成される空間部分は、隙間部４４の進入したパチンコ玉を隙間部４４より逃す機能を果たすので、球逃げ部４６という。また、逆Ｌ字形状において上部の突状部分（当接部）が球受皿付き支持部材２の側端部２ｂと当接し回動を規制する機能を果たす。
【００４０】
球逃げ部４６において、側端部２ｂと当接する規制部材４５ａの当接部は隙間部４４の底面からのパチンコ玉１個分の高さよりも上方に設けられている。すなわち、隙間部４４の進入したパチンコ玉が球逃げ部４６に溜まることなく逃れるように構成されている。
【００４１】
なお、この実施の形態では、規制部材４５ａを下側ヒンジ部の近傍に設けたが、規制部材４５ａの設置位置は、規制部材４５ａの当接部が隙間部４４の底面からのパチンコ玉１個分の高さよりも上方に設けられていれば、下側ヒンジ部の近傍に限定する必要はない。
【００４２】
［この実施の形態の作用］
この実施の形態によれば、球受皿付き支持部材２の閉鎖時（図５参照）にパチンコ玉が隙間部４４に進入しても、進入したパチンコ玉が球逃げ部４６を経由して隙間部４４より逃すことができる（図６（ｂ）参照）。また、パチンコ玉が隙間部４４に停留していても、球受皿付き支持部材２の開放時に、側端部２ｂによりパチンコ玉が球逃げ部４６側に押し出されて（図６（ａ）参照）、隙間部４４より逃すことができる。そして、球逃げ部４６は、隙間部４４に進入したパチンコ玉を逃すことで、球受皿付き支持部材２開放時に取り出し易く、遊技者に１個でも損をさせないよう作用する。また、パチンコ玉を停留させずに隙間部４４より逃すことができるので、パチンコ玉が隙間部４４内で側端部２ｂの回動を阻害しないように作用する。従って、球受皿付き支持部材２開放時に、球受皿付き支持部材２の側端部２ｂがパチンコ玉を遊技機本体側に押圧することで球受皿付き支持部材２又は表枠４が破損するといったことは解消する。なお、球逃げ部４６は、規制部材４５ａを境に前方側に設けられても、後方側に設けられてもよい。また、所定角度は隣接する台の遊技者の存在を考慮して略９０°が好ましい。
【００４３】
［別の実施の形態］
次に、本発明の遊技機の扉構造の別の実施の形態を説明する。なお、前述の実施の形態と別の実施の形態との違いは、隙間部及び規制部材の形状の違いのみなので、その他の構成の説明は省略する。
すなわち、図７に示す規制部材４５ｂは、平板形状を有し、平板形状の奥行き側を表枠４側面に突き当てた形状を成している。そして、平板形状である規制部材４５ｂの下側に形成される空間部分が球逃げ部４６ｂを形成する。また、平板形状において隙間部４４側の突状部分（当接部）が球受皿付き支持部材２の側端部２ｂと当接し回動を規制する機能を果たす。また、球逃げ部４６ｂにおいて、規制部材４５ｂは隙間部４４の底面からのパチンコ玉１個分の高さよりも上方に設けられている。すなわち、隙間部４４の進入したパチンコ玉が球逃げ部４６ｂから溜まることなく逃れるように構成されている。
【００４４】
次に示す別の実施の形態は、隙間部４４の底面にパチンコ玉を停留させずに所定方向に誘導する傾斜を形成した場合である。図８において、側端部２ｂに当接する規制部材４５ｃは従来の技術の欄で説明したものと同様にブロック形状をしているが、この規制部材４５ｃの底部側には隙間部４４底面より下方へ傾斜る傾斜穴４７が形成されている。そして、この傾斜穴４７が球逃げ部を形成する。また、傾斜穴４７において、穴形状はパチンコ玉１個分よりも大きく穿設されている。すなわち、隙間部４４の進入したパチンコ玉が傾斜穴４７を介して逃れるように構成されている。更に、傾斜穴４７は隙間部４４に進入したパチンコ玉を発見し易い所定方向に誘導させ、パチンコ遊技機内に球が隠れて紛失することはなくなり、遊技者に球１個でも損をさせないよう作用する。なお、傾斜穴は、規制部材を境に前方側に形成されても、後方側に形成されてもよい。
【００４５】
次に示す別の実施の形態は、隙間部４４の底面にパチンコ玉を停留させずに所定方向に誘導する通路穴を形成した場合である。図９及び図１０において、側端部２ｂに当接する規制部材４５ｄは従来の技術の欄で説明したものと同様にブロック形状をしているが、隙間部４４の表枠４側の壁面に通路穴４８が形成されている。そして、この通路穴４８が球逃げ部を形成する。また、通路穴４８において、穴形状はパチンコ玉１個分よりも大きく穿設されている。すなわち、隙間部４４の進入したパチンコ玉が通路穴４８を介して逃れるように構成されている。
【００４６】
また、図１１の別の実施の形態は、隙間部４４壁面に設けた通路穴４８ｂに、隙間部４４底面より下方へ傾斜る傾斜穴４７ｂをパチンコ玉の誘導路として連接した場合を示している。そして、通路穴４８ｂに連接する傾斜穴４７ｂが球逃げ部を形成する。
【００４７】
更に、図１２の別の実施の形態は、隙間部４４壁面に設けた通路穴４８ｃと表枠４の別な位置にある底面とを連接する迂回路４９を設け、パチンコ玉の誘導路とした場合を示している。そして、通路穴４８ｃに連接する迂回路４９が球逃げ部を形成する。
【００４８】
以上、この発明の実施形態の扉構造について球受皿付き支持部材２の場合を具体的に説明したが、この発明は、扉部材下側の球受皿付き支持部材２に限定されるものではなく、扉部材上側の窓枠５にも適用可能であるなど、この発明の技術的思想に基づく各種の形態が可能である。
【００４９】
【発明の効果】
この発明によれば、扉部材の閉鎖時に球が隙間部に進入しても、進入した球が球逃げ部を経由して隙間部より逃すことができる。そして、球逃げ部は、隙間部に進入した球を逃すことで、遊技者に１個でも損をさせないよう作用する。また、球を停留させずに隙間部より逃すことができるので、球が隙間部内で扉部材の側端部の回動を阻害しないように作用する。従って、扉開放時に、扉部材の側端部が球を遊技機本体側に押圧することで扉部材又は遊技機本体側が破損するといったことは解消する。
【図面の簡単な説明】
【図１】この発明の一実施形態による遊技機を示す斜視図である。
【図２】表枠全体の斜視図である。
【図３】この発明の一実施形態による扉構造を説明する斜視図である。
【図４】表枠の一部拡大図である。
【図５】この発明の一実施形態による扉構造の一部拡大した断面図であり、扉部材が閉じた場合を示す。
【図６】この発明の一実施形態による扉構造の一部拡大した断面図であり、扉部材が開いた場合を示す。
【図７】この発明の別の実施形態による扉構造の一部拡大した説明図である。
【図８】この発明の別の実施形態による扉構造の一部拡大した説明図である。
【図９】この発明の別の実施形態による扉構造の一部拡大した説明図である。
【図１０】この発明の別の実施形態による扉構造の一部拡大した断面図であり、扉部材が閉じた場合を示す。
【図１１】この発明の別の実施形態による扉構造の一部拡大した説明図である。
【図１２】この発明の別の実施形態による扉構造の一部拡大した断面図であり、扉部材が閉じた場合を示す。
【図１３】従来の遊技機を示す斜視図である。
【図１４】従来の遊技機の扉部材を開いた状態での斜視図である。
【図１５】従来の扉構造を説明する斜視図である。
【図１６】従来の扉構造の一部拡大した断面図であり、扉部材が閉じた場合を示す。
【図１７】従来の扉構造の一部拡大した断面図であり、扉部材が開いた場合を示す。
【符号の説明】
Ｉ…パチンコ遊技機（遊技機）
２…球受皿付き支持部材（扉部材）
２ａ…主要部
２ｂ…側端部
３…外枠
４…表枠
５…窓枠
６…遊技盤
７…発射装置
８…操作ハンドル
９…透過窓
１０…装飾ＬＥＤ
１１…装飾ランプ
１２…スピーカー
１３…誘導レール
１４…障害物
１５…入賞口
１６…アウト口
１７…画像表示装置
１８…始動入賞口
１９…球受け皿
２２…賞球払出口
２３…抜き穴
２４…第１ヒンジ穴
２５…第１ヒンジピン（軸部）
４１…ブラケット
４２…第２ヒンジピン（軸部）
４３…第２ヒンジ穴
４４…隙間部
４５…規制部材
４５ａ，４５ｂ，４５ｃ，４５ｄ…規制部材
４６…球逃げ部
４７…傾斜穴
４８…通路穴
４９…迂回路
【図１】
0003853229.tif 000002
【図２】
0003853229.tif 000003
【図３】
0003853229.tif 000004
【図４】
0003853229.tif 000005
【図５】
0003853229.tif 000006
【図６】
0003853229.tif 000007
【図７】
0003853229.tif 000008
【図８】
0003853229.tif 000009
【図９】
0003853229.tif 000010
【図１０】
0003853229.tif 000011
【図１１】
0003853229.tif 000012
【図１２】
0003853229.tif 000013
【図１３】
0003853229.tif 000014
【図１４】
0003853229.tif 000015
【図１５】
0003853229.tif 000016
【図１６】
0003853229.tif 000017
【図１７】
0003853229.tif 000018